(57)【要約】【課題】  像保持部材から回収された廃トナーを、廃トナー用のトナー収容容器内に効率よく収容できるようにすると共に、補給用トナーが空になった補給トナー用のトナー収容容器を廃トナー用のトナー収容容器に適切に利用できるようにする。【解決手段】  現像装置14に補給する補給用トナーtaを収容させた補給トナー用のトナー収容容器30Aと、像保持部材2,11から回収された廃トナーtbを収容させる廃トナー用のトナー収容容器30Bとに、トナーを収容させる筒状のトナー収容部31の一端側にトナーの出入り口となる開口部32を有する装着部33が設けられ、この装着部にトナー収容部が回転可能に装着されると共に、トナー収容部の回転に伴ってトナーを搬送させる螺旋状になった搬送用凸条35がトナー収容部の軸方向に沿ってその内周面に突設された同じトナー収容容器30を用いた。【選択図】  図１
2011154268.tif 000002
【特許請求の範囲】
【請求項１】
像保持部材から回収された廃トナーを収容させる廃トナー用のトナー収容容器において、廃トナーを収容させる筒状のトナー収容部の一端側に廃トナーを導入させる開口部を有する装着部が設けられ、この装着部に上記のトナー収容部が回転可能に装着されると共に、このトナー収容部の回転に伴って開口部から導入された廃トナーを装着部と反対側に搬送させる螺旋状になった搬送用凸条が、トナー収容部の軸方向に沿ってその内周面に突設されていることを特徴とする廃トナー用のトナー収容容器。
【請求項２】
請求項１に記載した廃トナー用のトナー収容容器において、装着部に設けられた上記の開口部の開閉を行うシャッター部材が設けられていることを特徴とする廃トナー用のトナー収容容器。
【請求項３】
現像装置に補給する補給用トナーを収容させた補給トナー用のトナー収容容器と、像保持部材から回収された廃トナーを収容させる廃トナー用のトナー収容容器とが着脱自在に装着される画像形成装置において、上記の補給トナー用のトナー収容容器と廃トナー用のトナー収容容器とが同じトナー収容容器で構成されてなり、このトナー収容容器は、トナーを収容させる筒状のトナー収容部の一端側にトナーの出入り口となる開口部を有する装着部が設けられ、この装着部に上記のトナー収容部が回転可能に装着されると共に、このトナー収容部の回転に伴ってトナーを搬送させる螺旋状になった搬送用凸条が、トナー収容部の軸方向に沿ってその内周面に突設されてなることを特徴とする画像形成装置。
【請求項４】
請求項３に記載した画像形成装置において、上記の補給トナー用のトナー収容容器におけるトナー収容部と、廃トナー用のトナー収容容器におけるトナー収容部とが逆方向に回転され、補給トナー用のトナー収容容器のトナー収容部内に収容された補給用トナーが、上記の搬送用凸条によって装着部に設けられた開口部に導かれる一方、廃トナー用のトナー収容容器の装着部に設けられた開口部から導入された廃トナーが、上記の搬送用凸条によって装着部と反対側に搬送されることを特徴とする画像形成装置。
【請求項５】
請求項３又は請求項４に記載した画像形成装置において、上記の補給トナー用のトナー収容容器内における補給用トナーが空になったトナー収容容器を、上記の廃トナー用のトナー収容容器に用いることを特徴とする画像形成装置。
【請求項６】
請求項３〜請求項５の何れか１項に記載した画像形成装置において、像保持部材から回収された廃トナーを一時的に貯留させる廃トナーホッパを設け、この廃トナーホッパから廃トナーを上記の開口部を通して廃トナー用のトナー収容容器に供給させると共に、上記の開口部の近傍における廃トナーの量を検知する検知手段を設け、この検知手段によって検知された廃トナーの量に基づいて、廃トナー用のトナー収容容器におけるトナー収容部の回転を制御させる制御手段を設けたことを特徴とする画像形成装置。
【発明の詳細な説明】
【技術分野】
【０００１】
本発明は、複写機，プリンタ，ファクシミリ及びこれらの複合機等の電子写真方式を用いた画像形成装置において、像保持部材から回収された廃トナーを収容させるのに使用する廃トナー用のトナー収容容器及びこのような廃トナー用のトナー収容容器と、現像装置に補給する補給用トナーを収容させた補給トナー用のトナー収容容器とを着脱自在に装着させるようにした画像形成装置に関するものである。特に、廃トナー用のトナー収容容器に、像保持部材から回収された廃トナーが効率よく収容されるようにすると共に、補給用トナーが空になった補給トナー用のトナー収容容器を上記の廃トナー用のトナー収容容器に適切に利用できるようにした点に特徴を有するものである。
【背景技術】
【０００２】
複写機，プリンタ，ファクシミリ及びこれらの複合機等の電子写真方式を用いた画像形成装置においては、一般に、静電潜像が形成された感光体に現像装置からトナーを供給して、感光体の表面に静電潜像に対応したトナー像を形成し、このように感光体の表面に形成されたトナー像を記録媒体に転写させ、また感光体の表面に形成されたトナー像を中間転写ベルト等の中間転写体に転写させた後、この中間転写体に転写されたトナー像を記録媒体に転写させて、記録媒体に画像を形成することが行われている。
【０００３】
そして、上記のように現像装置から感光体にトナーを供給した結果、現像装置内におけるトナーの量が減少した場合には、補給用トナーを収容させた補給トナー用のトナー収容容器からトナーを現像装置に補給させるようにしている。
【０００４】
また、上記のように感光体や中間転写体からなる像保持部材からトナー像を転写させた後、これらの像保持部材の表面に残留するトナーをクリーニング装置によって除去させた後は、このように除去された廃トナーを廃トナー用のトナー収容容器内に収容させるようにしている。
【０００５】
ここで、現像装置に補給させるトナーを収容させる補給トナー用のトナー収容容器としては、ボトル状になったものや、円筒状になったもの等、様々な種類のものが使用されている。
【０００６】
そして、このような補給トナー用のトナー収容容器から現像装置にトナーを補給させて、このトナー収容容器内が空になった場合には、新たな補給トナー用のトナー収容容器に交換して、空になった補給トナー用のトナー収容容器を保管し、サービスマン等が回収するようになっている。
【０００７】
しかし、このように空になった補給トナー用のトナー収容容器を保管しておくことは面倒であると共に、保管場所が必要となって嵩張る等の問題があった。
【０００８】
また、クリーニング装置によって像保持部材から除去させた廃トナーを収容させる廃トナー用のトナー収容容器としては、一般にボトル状になったものや、箱状になったものが用いられている。
【０００９】
そして、上記のような廃トナー用のトナー収容容器内に廃トナーを収容させるにあたっては、一般に、クリーニング装置によって像保持部材から除去させた廃トナーを、廃トナー搬送路を通して廃トナー用のトナー収容容器に導き、この廃トナーを廃トナー用のトナー収容容器内に落下させて収容させるようにしている。
【００１０】
また、従来においては、特許文献１に示されるように、ボトル状になったトナー収容容器内に収容された補給用のトナーを現像装置に補給して、このトナー収容容器内が空になった場合、このボトル状になったトナー収容容器を上記の廃トナーを収容させる廃トナー用のトナー収容容器に利用し、上記のように廃トナー搬送路を通して導かれた廃トナーを、この廃トナー用のトナー収容容器内に落下させて収容させるようにしたものが提案されている。
【００１１】
しかし、上記のように廃トナーを落下させて廃トナー用のトナー収容容器内に収容させるようにしただけでは、このトナー収容容器内に廃トナーを十分に充填させることができず、廃トナー用のトナー収容容器を交換させる頻度が高くなるという問題があった。また、廃トナー用のトナー収容容器内に廃トナーを十分に充填させるために、このトナー収容容器の容積を大きくした場合には、このようなトナー収容容器をセットするための空間が大きくなって、画像形成装置が大型化する等の問題があった。
【先行技術文献】
【特許文献】
【００１２】
【特許文献１】特開平８−１１４９７６号公報
【発明の開示】
【発明が解決しようとする課題】
【００１３】
本発明は、像保持部材から回収された廃トナーを収容させるのに使用する廃トナー用のトナー収容容器及びこのような廃トナー用のトナー収容容器と、現像装置に補給する補給用トナーを収容させた補給トナー用のトナー収容容器とを着脱自在に装着させるようにした画像形成装置における上記のような問題を解決することを課題とするものである。
【００１４】
すなわち、本発明においては、像保持部材から回収された廃トナーを、廃トナー用のトナー収容容器内に効率よく収容できるようにすると共に、補給用トナーが空になった補給トナー用のトナー収容容器を上記の廃トナー用のトナー収容容器に適切に利用できるようにすることを課題とするものである。
【課題を解決するための手段】
【００１５】
本発明の廃トナー用のトナー収容容器においては、上記のような課題を解決するため、像保持部材から回収された廃トナーを収容させる廃トナー用のトナー収容容器において、廃トナーを収容させる筒状のトナー収容部の一端側に廃トナーを導入させる開口部を有する装着部を設け、この装着部に上記のトナー収容部を回転可能に装着させると共に、このトナー収容部の回転に伴って開口部から導入された廃トナーを装着部と反対側に搬送させる螺旋状になった搬送用凸条を、トナー収容部の軸方向に沿ってその内周面に突設させるようにした。
【００１６】
また、上記の廃トナー用のトナー収容容器においては、上記の開口部の開閉を行うシャッター部材を設けることが好ましい。
【００１７】
また、本発明の画像形成装置においては、上記のような課題を解決するため、現像装置に補給する補給用トナーを収容させた補給トナー用のトナー収容容器と、像保持部材から回収された廃トナーを収容させる廃トナー用のトナー収容容器とが着脱自在に装着される画像形成装置において、上記の補給トナー用のトナー収容容器と廃トナー用のトナー収容容器とを同じトナー収容容器で構成し、このトナー収容容器としては、トナーを収容させる筒状のトナー収容部の一端側にトナーの出入り口となる開口部を有する装着部を設け、この装着部に上記のトナー収容部を回転可能に装着させると共に、このトナー収容部の回転に伴ってトナーを搬送させる螺旋状になった搬送用凸条を、トナー収容部の軸方向に沿ってその内周面に突設させたものを用いるようにした。
【００１８】
そして、上記の画像形成装置においては、上記の補給トナー用のトナー収容容器におけるトナー収容部と、廃トナー用のトナー収容容器におけるトナー収容部とを逆方向に回転させ、補給トナー用のトナー収容容器のトナー収容部内に収容された補給用トナーを、上記の搬送用凸条によって装着部に設けられた開口部に導く一方、廃トナー用のトナー収容容器の装着部に設けられた開口部から導入された廃トナーを、上記の搬送用凸条によって装着部と反対側に搬送させるようにすることができる。
【００１９】
また、上記の画像形成装置においては、上記の補給トナー用のトナー収容容器内における補給用トナーが空になったトナー収容容器を、上記の廃トナー用のトナー収容容器として用いることができる。
【００２０】
また、上記の画像形成装置においては、像保持部材から回収された廃トナーを一時的に貯留させる廃トナーホッパを設け、この廃トナーホッパから廃トナーを上記の開口部を通して廃トナー用のトナー収容容器に供給させると共に、上記の開口部の近傍における廃トナーの量を検知する検知手段を設け、この検知手段によって検知された廃トナーの量に基づいて、廃トナー用のトナー収容容器におけるトナー収容部の回転を制御させる制御手段を設けるようにすることができる。
【発明の効果】
【００２１】
本発明における廃トナー用のトナー収容容器においては、像保持部材から回収された廃トナーが、装着部に設けられた開口部を通して筒状のトナー収容部内に導かれ、このトナー収容部が回転されると、開口部から導入された廃トナーが、このトナー収容部の内周面に突設された螺旋状になった搬送用凸条により装着部と反対側に搬送され、廃トナーが装着部から離れたトナー収容部の部分に順々に詰め込まれるようになる。
【００２２】
この結果、本発明の廃トナー用のトナー収容容器においては、トナー収容容器の容積を大きくしなくても、上記のように像保持部材から回収された廃トナーがトナー収容容器内に順々に詰め込まれて十分に充填されるようになり、廃トナー用のトナー収容容器内が廃トナーですぐに一杯になるということがなく、廃トナー用のトナー収容容器を交換する頻度が少なくなると共に、このトナー収容容器をセットするための空間が大きくなって、画像形成装置が大型化するということもなくなる。
【００２３】
また、本発明の画像形成装置においては、上記のように現像装置に補給する補給用トナーを収容させた補給トナー用のトナー収容容器と、像保持部材から回収された廃トナーを収容させる廃トナー用のトナー収容容器とに、トナーを収容させる筒状のトナー収容部の一端側にトナーの出入り口となる開口部を有する装着部を設け、この装着部に上記のトナー収容部を回転可能に装着させると共に、このトナー収容部の回転に伴ってトナーを搬送させる螺旋状になった搬送用凸条を、トナー収容部の軸方向に沿ってその内周面に突設させた同じトナー収容容器を用いるようにしたため、補給トナー用のトナー収容容器と、廃トナー用のトナー収容容器とを共用できるようになる。
【００２４】
そして、上記の補給トナー用のトナー収容容器におけるトナー収容部と、廃トナー用のトナー収容容器におけるトナー収容部とを逆方向に回転させると、補給トナー用と廃トナー用の各トナー収容容器におけるトナー収容部内においてはトナーが上記の搬送用凸条によって逆方向に搬送され、補給トナー用のトナー収容容器においては、そのトナー収容部内に収容された補給用トナーが装着部に設けられた開口部に導かれて現像装置に供給される一方、廃トナー用のトナー収容容器においては、上記のように開口部から導入された廃トナーが装着部と反対側に搬送されて、廃トナーが装着部から離れたトナー収容部の部分に順々に詰め込まれるようになる。
【００２５】
そして、本発明の画像形成装置においては、上記の補給トナー用のトナー収容容器内における補給用トナーが空になったトナー収容容器を、上記の廃トナー用のトナー収容容器として利用することができ、空になった補給トナー用のトナー収容容器を保管するという面倒が少なくなると共に、これを保管する場所が必要となって嵩張るということも少なくなる。
【００２６】
また、本発明の画像形成装置において、像保持部材から回収された廃トナーを廃トナーホッパから上記の開口部を通して廃トナー用のトナー収容容器に供給させると共に、上記の開口部の近傍における廃トナーの量を検知する検知手段を設け、この検知手段によって検知された廃トナーの量に基づいて、制御手段により廃トナー用のトナー収容容器におけるトナー収容部の回転を制御させるようにすると、開口部の近傍における廃トナーの量が多くなった場合にだけ、トナー収容部を回転させて廃トナーを搬送させるようにすることができ、トナー収容部を常に回転させる必要がなくなり、無駄なエネルギー消費を低減できるようになる。
【図面の簡単な説明】
【００２７】
【図１】現像装置に補給する補給用トナーを収容させた補給トナー用のトナー収容容器と、像保持部材から回収された廃トナーを収容させる廃トナー用のトナー収容容器とが着脱自在に装着された本発明の一実施形態に係る画像形成装置の概略説明図である。
【図２】上記の実施形態の画像形成装置において、補給トナー用のトナー収容容器と廃トナー用のトナー収容容器とに用いるトナー収容容器の概略斜視図である。
【図３】上記の実施形態の画像形成装置において、補給トナー用のトナー収容容器から補給トナーホッパに補給用トナーを供給する状態を示した部分断面説明図である。
【図４】上記の実施形態の画像形成装置において、廃トナーホッパから廃トナーを廃トナー用のトナー収容容器内に導いて収容させる状態を示した部分断面説明図である。
【発明を実施するための最良の形態】
【００２８】
次に、この発明の実施形態に係る廃トナー用のトナー収容容器及び画像形成装置を添付図面に基づいて具体的に説明する。なお、本発明に係る廃トナー用のトナー収容容器及び画像形成装置は、下記の実施形態に示したものに限定されず、その要旨を変更しない範囲において適宜変更して実施できるものである。
【００２９】
この実施形態の画像形成装置においては、図１に示すように、その装置本体１内に４つのイメージングカートリッジ１０Ａ〜１０Ｄを装着させるようにしている。
【００３０】
ここで、上記の各イメージングカートリッジ１０Ａ〜１０Ｄには、像保持部材となる感光体１１と、この感光体１１の表面を帯電させる帯電装置１２と、帯電された感光体１１の表面に画像情報に応じた露光を行って感光体１１の表面に静電潜像を形成する露光装置１３と、感光体１１の表面に形成された静電潜像にトナーを供給してトナー像を形成する現像装置１４と、感光体１１の表面に形成されたトナー像を中間転写ベルト２に転写させた後に残留するトナーを感光体１１の表面から除去する第１クリーニング装置１５とが設けられている。
【００３１】
そして、この実施形態に係る画像形成装置において、フルカラーの画像形成を行うにあたっては、上記の各イメージングカートリッジ１０Ａ〜１０Ｄにおける各現像装置１４に、黒色，黄色，マゼンダ色，シアン色の異なった色彩のトナーを収容させ、各イメージングカートリッジ１０Ａ〜１０Ｄにおいて、各感光体１１の表面にそれぞれの色彩のトナー像を形成する。
【００３２】
次いで、このように各イメージングカートリッジ１０Ａ〜１０Ｄにおける感光体１１の表面に形成された各色彩のトナー像を、像保持部材となる中間転写ベルト２に順々に転写させて、この中間転写ベルト２の上にフルカラーのトナー像を形成する一方、中間転写ベルト２に転写されずに各感光体１１の表面に残留するトナーを上記の各第１クリーニング装置１５によって感光体１１の表面から除去する。
【００３３】
そして、上記のように中間転写ベルト２上に形成されたフルカラーのトナー像を転写ローラ５の位置に導く一方、給紙ローラ３により記録媒体Ｓを給紙し、タイミングローラ４によってこの記録媒体Ｓを適当なタイミングで上記の中間転写ベルト２と転写ローラ５との間に導き、中間転写ベルト２上に形成されたフルカラーのトナー像をこの記録媒体Ｓに転写させる。
【００３４】
次いで、このようにフルカラーのトナー像が転写された記録媒体Ｓを定着装置６に導き、上記のフルカラーのトナー像を記録媒体Ｓに定着させた後、この記録媒体Ｓを排紙ローラ７により排紙させる一方、この記録媒体Ｓに転写されずに中間転写ベルト２上に残ったトナーを第２クリーニング装置８によって中間転写ベルト２の表面から除去させる。
【００３５】
ここで、この実施形態の画像形成装置においては、上記の各イメージングカートリッジ１０Ａ〜１０Ｄに設けられた各現像装置１４に対応させて、それぞれ黒色，黄色，マゼンダ色，シアン色の異なった色彩の補給用トナーを補給させるための４つの補給トナーホッパ９を設けると共に、各補給トナーホッパ９にそれぞれ黒色，黄色，マゼンダ色，シアン色の異なった色彩の補給用トナーを収容させた４つの補給トナー用のトナー収容容器３０Ａを装着させ、各補給トナー用のトナー収容容器３０Ａからそれぞれ対応する補給トナーホッパ９に各色彩の補給用トナーを供給し、このように供給された各色彩の補給用トナーをそれぞれ対応する現像装置１４に補給させるようにしている。
【００３６】
また、この実施形態の画像形成装置においては、上記の各イメージングカートリッジ１０Ａ〜１０Ｄに設けられた４つの第１クリーニング装置１５によって各感光体１１の表面から除去された廃トナー及び上記の第２クリーニング装置８によって中間転写ベルト２の表面から除去された廃トナーを廃トナー搬送手段２０によって搬送して、この廃トナーを廃トナーホッパ２１に導くようにすると共に、この廃トナーホッパ２１の下に廃トナー用のトナー収容容器３０Ｂを装着させ、廃トナーホッパ２１に導かれた廃トナーを上記の廃トナー用のトナー収容容器３０Ｂに収容させるようにしている。
【００３７】
そして、この実施形態においては、上記の補給トナー用のトナー収容容器３０Ａと廃トナー用のトナー収容容器３０Ｂとに同じトナー収容容器３０を用いるようにしている。
【００３８】
ここで、このトナー収容容器３０においては、図２に示すように、トナーを収容させる筒状のトナー収容部３１の一端側にトナーの出入り口となる開口部３２を有する装着部３３が設けられ、この装着部３３に上記の開口部３２の開閉を行うシャッター部材３４がスライド自在に設けられると共に、上記のトナー収容部３１がこの装着部３３に回転可能に装着され、またこのトナー収容部３１の回転に伴ってトナーを搬送させる螺旋状になった搬送用凸条３５が、トナー収容部３１の軸方向に沿ってその内周面に突設されている。
【００３９】
そして、この実施形態において、補給トナー用のトナー収容容器３０Ａから補給トナーホッパ９に補給用トナーｔａを供給するにあたっては、図３に示すように、この補給トナー用のトナー収容容器３０Ａにおける装着部３３を補給トナーホッパ９の上に装着させると共に、この装着部３３に設けられたシャッター部材３４を装着部３３の周方向にスライドさせて、装着部３３に設けられた上記の開口部３２を開口させ、この開口部３２と補給トナーホッパ９の上面に設けられた導入口９ａとを合わせるようにする。
【００４０】
次いで、このように装着部３３を補給トナーホッパ９の上に装着させた状態で、この補給トナー用のトナー収容容器３０Ａにおいて補給用トナーｔａが収容されたトナー収容部３１を所定の方向に回転させ、このトナー収容部３１の内周面に突設された上記の搬送用凸条３５により、トナー収容部３１内に収容された補給用トナーｔａを装着部３３の開口部３２ａに向けて搬送させ、補給用トナーｔａをこの開口部３２ａから上記の導入口９ａを通して補給トナーホッパ９内に供給するようにしている。
【００４１】
また、この実施形態において、廃トナー搬送手段２０によって廃トナーホッパ２１に導かれた廃トナーｔｂを廃トナーホッパ２１から廃トナー用のトナー収容容器３０Ｂに収容させるにあたっては、図４に示すように、廃トナー用のトナー収容容器３０Ｂにおける装着部３３を廃トナーホッパ２１の下に装着させると共に、この装着部３３に設けられたシャッター部材３４を装着部３３の周方向にスライドさせて、装着部３３に設けられた上記の開口部３２を開口させ、この開口部３２を廃トナーホッパ２１下端の排出口２１ａに合わせ、廃トナー搬送手段２０により廃トナーホッパ２１に導かれた廃トナーｔｂを排出口２１ａから上記の開口部３２を通して、この廃トナー用のトナー収容容器３０Ｂの装着部３３内に導くようにしている。
【００４２】
そして、上記のように装着部３３を廃トナーホッパ２１の下に装着させた状態で、この廃トナー用のトナー収容容器３０Ｂにおけるトナー収容部３１を、上記の補給トナー用のトナー収容容器３０Ａの場合とは逆方向に回転させ、装着部３３内に導かれた廃トナーｔｂを、このトナー収容部３１の内周面に突設された上記の搬送用凸条３５によって上記の装着部３から離れる方向に搬送させて、この廃トナーｔｂを装着部３と反対側におけるトナー収容部３１に順々に詰め込むようにしている。このようにすると、前記のように廃トナーｔｂがこの廃トナー用のトナー収容容器３０Ｂ内に十分に充填されるようになり、廃トナー用のトナー収容容器３０Ｂ内がすぐに廃トナーｔｂで一杯になるということがなく、廃トナー用のトナー収容容器３０Ｂを交換する頻度が少なくなる。
【００４３】
また、この実施形態においては、廃トナー用のトナー収容容器３０Ｂにおけるトナー収容部３１を回転させて、装着部３３内に導かれた廃トナーｔｂを装着部３から離れる方向に搬送させるにあたり、装着部３３に設けられた開口部３２の近傍における廃トナーｔｂの量を検知する検知手段として、上記の廃トナーホッパ２１の下端側に検知センサー２２を設けている。そして、この検知センサー２２によって装着部３３内に導かれた廃トナーｔｂが開口部３２の近傍にまで達したことを検知した場合には、これを制御装置２３に出力し、この制御装置２３により回転装置（図示せず）を駆動させて、廃トナー用のトナー収容容器３０Ｂにおけるトナー収容部３１を回転させ、装着部３３内に導かれた廃トナーｔｂを装着部３から離れる方向に搬送させて、装着部３３と反対側におけるトナー収容部３１に順々に詰め込むようにしている。
【００４４】
このようにすると、廃トナー用のトナー収容容器３０Ｂにおけるトナー収容部３１を常に回転させる必要がなく、必要な時にだけトナー収容部３１を回転させるだけで済み、ランニングコストが低減されると共に、回転音の発生も少なくなる。
【００４５】
また、この実施形態においては、上記のように補給トナー用のトナー収容容器３０Ａと廃トナー用のトナー収容容器３０Ｂとに同じトナー収容容器３０を用いているため、上記の補給トナー用のトナー収容容器３０Ａから補給用トナーｔａが全て補給トナーホッパ９内に供給されて、この補給トナー用のトナー収容容器３０Ａが空になった場合には、この空になった補給トナー用のトナー収容容器３０Ａを上記の廃トナー用のトナー収容容器３０Ｂに利用することができる。このため、前記のように空になった補給トナー用のトナー収容容器３０Ａを保管するという面倒が少なくなると共に、これを保管する場所が必要となって嵩張るということも少なくなる。
【符号の説明】
【００４６】
１  装置本体
２  中間転写ベルト（像保持部材）
３  給紙ローラ
４  タイミングローラ
５  転写ローラ
６  定着装置
７  排紙ローラ
８  第２クリーニング装置
９  補給トナーホッパ
９ａ  導入口
１０Ａ〜１０Ｄ  イメージングカートリッジ
１１  感光体（像保持部材）
１２  帯電装置
１３  露光装置
１４  現像装置
１５  第１クリーニング装置
２０  トナー搬送手段
２１  廃トナーホッパ
２１ａ  排出口
２２  検知センサー（検知手段）
２３  制御装置
３０  トナー収容容器
３０Ａ  補給トナー用のトナー収容容器
３０Ｂ  廃トナー用のトナー収容容器
３１  トナー収容部
３２  開口部
３３  装着部
３４  シャッター部材
３５  搬送用凸条
Ｓ  記録シート
ｔａ  補給用トナー
ｔｂ  廃トナー
【図１】
2011154268.tif 000003
【図２】
2011154268.tif 000004
【図３】
2011154268.tif 000005
【図４】
2011154268.tif 000006